(57)【要約】【課題】外周側面にスリットを設けた縦磁界発生用部材に補強部材を設け機械的強度を向上した真空遮断器用電極を提供する。【解決手段】接離自在の一対の接点を有する真空遮断器において、接触子４と上面が固着された縦磁界発生用部材６を有し、縦磁界発生用部材６の外周側面には軸方向を斜めに横切るスリット３を設ける。縦磁界発生用部材６の内側には、縦磁界発生用部材６よりも導電率の低い補強部材７を配し、縦磁界発生用部材６の内周面及び補強部材７の外周面には互いに螺合するようにねじが切られており、これらをねじ込むことにより一体化する。さらに縦磁界発生用部材６の下面及び補強部材７の一方の端面にはアダプタ５を固着したことを特徴とする【選択図】図１
2013041735.tif 000002
【特許請求の範囲】
【請求項１】
接離自在の一対の接点を有する真空遮断器において、前記接点と上面が固着された縦磁界発生用部材を有し、前記縦磁界発生用部材の外周側面には軸方向を斜めに横切るスリットを設けると共に、前記縦磁界発生用部材の内側には、前記縦磁界発生用部材よりも導電率の低い補強部材を配し、前記縦磁界発生用部材の内周面及び前記補強部材の外周面には互いに螺合するようにねじが切られており、これらをねじ込むことにより一体化し、さらに前記縦磁界発生用部材の下面及び前記補強部材の一方の端面にはアダプタを固着したことを特徴とする真空遮断器用電極。  
【発明の詳細な説明】
【技術分野】
【０００１】
本発明は、真空遮断器用の電極構造に係り、詳しくは遮断特性を向上させるために、外周側面にスリットを設けるとともに、機械的強度を向上させた電極構造を備えた真空遮断器用電極に関する。
【背景技術】
【０００２】
従来より真空遮断器用の電極として、遮断性能を向上するために縦磁界発生用部材の外周側面に斜めにスリットを切り、通電経路を長くする縦磁界電極が多く使われている。係る構造の電極においては、遮断器の開閉動作時に電極に縦方向（開閉方向）の力が作用した際、縦磁界発生用部材にスリットを有することによって強度が弱くなっていることから、縦磁界発生用部材が変形する恐れがある。
【０００３】
このような縦磁界発生用部材の変形を防止するために、図７に示す従来の電極構造においては、縦磁界発生用部材９内に円筒状ステンレス（以下「ＳＵＳ」と称する。）補強部材８を設けるとともに、縦磁界発生用部材９の上面と接触子４とが接する接触部１と、円筒状ＳＵＳ補強部材８の一方の端面（図７中における下面）および縦磁界発生用部材９の下面とアダプタ５とが接する接触部２をロウ付けして固定している。
【０００４】
なお円筒状ＳＵＳ補強部材８の他方の端面（図７中における上面）と接触子４は、ロウ付け固定されていない。こうすることで、接触子４から円筒状ＳＵＳ補強部材８に電流が流れて電流損失が発生することを防いでいる。
【０００５】
さらに、特許文献1には、縦磁界発生用部材のスリットを複数個所の抵抗部材で橋絡して、スリット部が変形するのを防止した真空遮断器用電極が開示されている。
【先行技術文献】
【特許文献】
【０００６】
【特許文献１】特開２００９−３２４８１号公報
【発明の概要】
【発明が解決しようとする課題】
【０００７】
しかしながら、上述の従来構造においては、円筒状ＳＵＳ補強部材の上面と接触子がロウ付けされていないため、開極時における引っ張り方向の剛性が弱く、スリットが変形する恐れがあった。
【０００８】
さらに、上記特許文献1の構造においては、スリットの間隙に配置する抵抗部材の数によって強度補強効果にばらつきが生じる。また、部品数の増加によるコスト高や、加工が複雑であるという問題もあった。
【０００９】
本発明は上記問題を解決するためになされたもので、縦磁界発生用部材のスリットに充分な機械的強度を持たせ、優れた遮断特性を有する真空遮断器用電極を提供することを目的とする。
【課題を解決するための手段】
【００１０】
上記目的を達成するために、本発明の真空遮断器用電極は、接離自在の一対の接点を有する真空遮断器において、前記接点と上面が固着された縦磁界発生用部材を有し、前記縦磁界発生用部材の外周側面には軸方向を斜めに横切るスリットを設けると共に、前記縦磁界発生用部材の内側には、前記縦磁界発生用部材よりも導電率の低い補強部材を配し、前記縦磁界発生用部材の内周面及び前記補強部材の外周面には互いに螺合するようにねじが切られており、これらをねじ込むことにより一体化し、さらに前記縦磁界発生用部材の下面及び前記補強部材の一方の端面にはアダプタを固着したことを特徴とする。
【発明の効果】
【００１１】
本発明によれば、縦磁界発生用部材の内周側と補強部材の外周側をねじ込むことにより一体化したので、補強部材のねじきり部全体で縦磁界発生用部材を支持することとなり電極開閉時に縦磁界発生用部材に加わる引っ張り力および圧縮力に対する抗力が高まるので、機械的強度の弱いスリット入りの縦磁界発生用部材の変形を防ぐことができる。また、従来に比べて部品点数が少なく、かつ加工が容易な構造となり、ひいてはコストを抑えることができる。
【図面の簡単な説明】
【００１２】
【図１】本発明の実施例に係る真空遮断器用電極の側断面図である。
【図２】図１の真空遮断器用電極の側面外観図である。
【図３】本発明の縦磁界発生用部材の作成工程の内、内周面にめねじ部を形成した状態を一部破断して示した斜視図である。
【図４】図３の縦磁界発生用部材の外周面にスリットを加工した状態を一部破断して示した斜視図である。
【図５】本発明の補強部材の斜視図である。
【図６】図３の縦磁界発生用部材及び図５の補強部材を一体化した状態を一部破断して示した斜視図である。
【図７】従来の真空遮断器用電極の側断面図である。
【発明を実施するための形態】
【００１３】
本発明の実施例に係る真空遮断器用電極の構成を図面を参照して説明する。なお、各図において、従来と同様の構成部分については、同一符号を付した。また、真空遮断器の固定側と可動側電極は、ほぼ同一の構造であるので、ここでは一方の電極についてのみ説明する。
【実施例１】
【００１４】
図１、図２に示すように、本発明に係る電極１０は縦磁界発生用部材６、接触子４、アダプタ５を有している。縦磁界発生用部材６の外周側面には斜めに横切るスリット３が複数設けられている。また、縦磁界発生用部材６の上面及び接触子４の下面の接触部１がロウ付けにより固定されている。
【００１５】
縦磁界発生用部材６の内部には、同心円上に補強部材７が配置されている。補強部材７の図７中における下面と、縦磁界発生用部材６の下面及びアダプタ５との接触部２はロウ付け固定されている。なお、補強部材としては例えばＳＵＳを用いることができるが、これに限らず、縦磁界発生用部材６よりも導電率の低い他の材質の使用も可能である。
【００１６】
本実施例において補強部材７は円筒状に加工されると共に、図５に示すように外周面全体におねじ部７ａを形成している。一方、図３、４に示すように縦磁界発生用部材６には内周面全体にめねじ部６ａを形成している。
【００１７】
ここで、縦磁界発生用部材６の内周面のめねじ部６ａと補強部材７の外周面のおねじ部７ａは互いに螺合するように形成されている。即ち、縦磁界発生用部材６のめねじ部６ａのピッチと補強部材７のおねじ部７ａのピッチは同様に加工されている。
【００１８】
縦磁界発生用部材６の作成手順としては、まず図３に示すように縦磁界発生用部材６の内周面にめねじ部６ａを形成する。その後、図４に示すように縦磁界発生用部材６の外周面にスリット３を複数設ける。
【００１９】
補強部材７については図５に示すように予め外周面におねじ７ａを形成しておく。これらねじ部６ａ、７ａを加工した縦磁界発生用部材６及び補強部材７を互いにねじ込むことにより図６に示すように一体化する。  
【００２０】
さらに、縦磁界発生用部材６、補強部材７及びアダプタ５は、前述のように、縦磁界発生用部材６の上面及び接触子４の接触部１と、補強部材７の一方の端面、縦磁界発生用部材６の下面及びアダプタ５の接触部２をそれぞれロウ付けすることで固定する。
【００２１】
また、縦磁界発生用部材６のスリット３は、スリット３における短絡を防止するために、一定の高さ寸法を確保する必要がある。例えば、閉極動作による圧縮力を受けて縦磁界発生用部材６全体が図２中下方向に力を受けて変形しようとした時であっても、スリット３の高さ寸法が常に０．５ｍｍ以上確保される構成とすることが望ましい。
【００２２】
このため、図２に示すスリット３の高さ寸法ｈを例えば２ｍｍ程度に形成しておくと、縦磁界発生用部材６が外力を受けた際もスリット３の高さ寸法ｈは十分に確保されるので、スリット３において短絡が生じることなく、ひいては遮断性能を保つことが出来る。
【００２３】
一方、開極動作時には、対向配置された電極１０（図１中では一方のみ図示）の接触子４間に流れている電流を遮断するために、電極１０、ひいては縦磁界発生用部材６が引っ張り方向（図１中上方向）の力を受ける。
【００２４】
縦磁界発生用部材６と補強部材７は互いにねじ込むことにより一体化しているため、縦磁界発生用部材６のめねじ部６ａと補強部材７のおねじ部７ａの接触により、引っ張り方向に対し抗力を得る。即ち、縦磁界発生用部材６の内周面と、補強部材７の外周面全体において引っ張り力に対する抗力を発揮するので、縦磁界発生用部材６全体における変形防止効果を高めることができる。
【００２５】
上述したように本発明によれば、通電電流損失を防ぐために接触子４と補強部材７をロウ付けしない電極において、縦磁界発生用部材の内側と補強部材の外側をねじ込むことにより一体化したので、電極開閉時の引っ張り力および圧縮力の双方に対する抗力を高めて電極の変形を抑制できる。また、従来に比べて部品点数が少なく、かつ加工が容易な構造となり、ひいてはコストを抑えることができる。
【符号の説明】
【００２６】
１、２    接触部
３        スリット
４        接触子
５        アダプタ
６、９    縦磁界発生用部材
７、８    補強部材
１０      電極
【図１】
2013041735.tif 000003
【図２】
2013041735.tif 000004
【図３】
2013041735.tif 000005
【図４】
2013041735.tif 000006
【図５】
2013041735.tif 000007
【図６】
2013041735.tif 000008
【図７】
2013041735.tif 000009